(57)【要約】【課題】１本の伝送路を用いて、より効率的に信号を伝送する。【解決手段】電圧傾斜可変回路１１や１２は、それぞれの論理状態に個別に、異なる電圧傾斜を割り当てた対応関係に基づき、受信回路に伝送しようとする論理状態に応じて、該伝送の伝送路に送り出す電圧の傾斜を変化させる。伝送信号ＴＳの電圧傾斜の相違で、論理状態を伝送する。【選択図】      図１
2005012669.tif 000002
【特許請求の範囲】
【請求項１】
伝送すべき信号それぞれの論理状態に個別に、異なる電圧傾斜を割り当てた対応関係に基づき、伝送路に送り出す電圧の傾斜を信号送信回路によって変化させ、もって該論理状態を前記信号受信回路に伝送するようにしたことを特徴とする信号伝送方法。
【請求項２】
伝送路に送り出す電圧の立ち上がりの傾斜と立ち下がりの傾斜それぞれに、異なる信号の論理状態を割り当てたことを特徴とする、請求項１に記載の信号伝送方法。
【請求項３】
伝送すべき信号それぞれの論理状態に個別に、異なる電圧傾斜を割り当てた対応関係に基づき、伝送路に送り出す電圧の傾斜を変化させる電圧傾斜可変回路を備えるようにしたことを特徴とする信号送信回路。
【請求項４】
伝送すべき信号それぞれの論理状態に個別に、異なる電圧傾斜を割り当てた対応関係に基づき、伝送路に送り出された電圧の傾斜を検出し、該傾斜に対応する論理状態を出力する電圧傾斜検出回路を備えるようにしたことを特徴とする信号受信回路。
【発明の詳細な説明】
【０００１】
【発明の属する技術分野】
本発明は、１本の伝送路を用いて、より効率的に信号を伝送することができる信号伝送方法、又該信号伝送方法に係る信号送信回路及び信号受信回路に関する。
【０００２】
【従来の技術】
従来、ロジックＩＣ（Ｉｎｔｅｇｒａｔｅｄ  Ｃｉｒｃｕｉｔ）内や、ＩＣ間のデータ伝送は、電圧のハイ・レベル、ロウ・レベルの２つの論理状態を有する信号による伝送が一般的であった。しかし、かかる２値信号によるデータ伝送方式では、１本の信号線で同時には１ビットの情報しか伝送できないため、大規模なロジックＬＳＩ（Ｌａｒｇｅ  Ｓｃａｌｅ  Ｉｎｔｅｇｒａｔｅｄ  ｃｉｒｃｕｉｔ）においては、信号線の本数及び入出力ピンの数が非常に多くなっている。
【０００３】
又、信号の高速伝送のために、データを２つの差動信号（＋と−の信号）の電位差で伝送することが行われている。しかし、この場合は別途、レファレンスのためのクロック信号も伝送することが必要となり、１ビットの情報を伝送するのに２本以上の信号線が必要となっている。
【０００４】
そこで、１本の信号線で多値の信号を伝送する技術として、特許文献１には、複数の電圧レベルを有する伝送信号を生成し、送信する技術が開示されている。又、特許文献２には、伝送データとしてＤ／Ａ（Ｄｉｇｉｔａｌ  ｔｏ  Ａｎａｌｏｇ）コンバータで変換された電流量を取扱い、電流データの多値化を行うことによって、バス幅の増大を伴うことなく大量のデータ転送を可能とする技術が開示されている。更に特許文献３では、２つの正弦波信号の位相関係に、２値のデータを割り当てて信号を伝送するという技術が開示されている。
【０００５】
【特許文献１】
特開平１１−１５４８５９号公報
【特許文献２】
特開２００１−１５６６２１号公報
【特許文献３】
特開平８−１２５７０３号公報
【０００６】
【発明が解決しようとする課題】
２値の電圧レベルを用いた従来の伝送技術では、同時に伝送できるデータは１ビットに限られており、その分、配線領域やＩＣのＩ／Ｏ（Ｉｎｐｕｔ  Ｏｕｔｐｕｔ）領域の確保が必要になっていた。
【０００７】
又、従来の差動信号伝送技術及び特許文献３では、別途リファレンス・クロック信号が必要であり、その分、信号線の配線領域を確保する必要があった。
【０００８】
更に、１本の信号線で同時に複数のビットを伝送する場合には、特許文献１では電圧レベルを多値化するものであり、特許文献２では電流量を多値化するものであった。多値化すると、複数の閾値が存在するようになり、データ伝送にエラーが生じやすくなる可能性が増大する。
【０００９】
本発明は、前記従来の問題点を解決するべくなされたもので、１本の伝送路を用いて、より効率的に信号を伝送することができる信号伝送方法、信号送信回路及び信号受信回路を提供することを目的とする。
【００１０】
【課題を解決するための手段】
まず、本願の第１発明の信号伝送方法は、伝送すべき信号それぞれの論理状態に個別に、異なる電圧傾斜を割り当てた対応関係に基づき、伝送路に送り出す電圧の傾斜を信号送信回路によって変化させ、もって該論理状態を前記信号受信回路に伝送するようにしたことにより、前記課題を解決したものである。
【００１１】
又、該第１発明において、伝送路に送り出す電圧の立ち上がりの傾斜と立ち下がりの傾斜それぞれに、異なる信号の論理状態を割り当てたことにより、前記課題を解決したものである。
【００１２】
次に、本願の第２発明の信号送信回路は、伝送すべき信号それぞれの論理状態に個別に、異なる電圧傾斜を割り当てた対応関係に基づき、伝送路に送り出す電圧の傾斜を変化させる電圧傾斜可変回路を備えるようにしたことにより、前記課題を解決したものである。
【００１３】
更に、本願の第３発明の信号受信回路は、伝送すべき信号それぞれの論理状態に個別に、異なる電圧傾斜を割り当てた対応関係に基づき、伝送路に送り出された電圧の傾斜を検出し、該傾斜に対応する論理状態を出力する電圧傾斜検出回路を備えるようにしたことにより、前記課題を解決したものである。
【００１４】
以下、本発明の作用について、簡単に説明する。
【００１５】
本発明は、それぞれの論理状態に個別に、異なる電圧傾斜を割り当てる。該電圧傾斜は、電圧変化のスルーレートとも言える。
【００１６】
例えば、１ビットのＨ状態及びＬ状態に対して、立ち上がりの電圧傾斜の、「急峻」あるいは「緩慢」を割り当てたり、立ち下がりの電圧傾斜の、「急峻」あるいは「緩慢」を割り当てたりする。更には、「急峻」あるいは「緩慢」以上に細分化して、このような電圧傾斜を区別するようにし、これら傾斜に個別に、複数ビットのＨ状態やＬ状態の組み合わせを割り当てるようにしてもよい。
【００１７】
そして、このような電圧傾斜を伝送することで、信号送信回路側から信号受信回路側に、所望の論理状態を伝送する。
【００１８】
具体的には、まず信号送信回路側では、該割り当ての対応関係に基づき、信号受信回路に伝送しようとする論理状態に応じた所定の電圧傾斜で、伝送路に送り出す電圧を変化させる。信号送信回路側において、このような電圧変化は、例えば後述する実施形態のように、伝送路へ送り出されるクロック信号の出力回路の、動作スルーレートを変化させることで実現することができる。つまり、この場合は、クロック信号の立ち上がりや立ち下がりの電圧変化の傾斜によって、論理状態を伝送する。
【００１９】
対して、信号受信回路側では、該伝送路の電圧変化の傾斜を検出し、該傾斜に対応する論理状態を判定する。これにより、所望の論理状態を伝送することができる。例えば後述する実施形態のように、ＣＲの時定数の構成を有する回路を用いて、このような電圧変化の傾斜を検出し、該傾斜に対応する論理状態を判定するようにしてもよい。
【００２０】
該検出においては、信号送信回路側から送られるリファレンス用のクロック信号は特に要しない。例えば、信号送信回路側から送られるクロック信号の立ち上がりや立ち下がりの電圧変化の傾斜によって、論理状態を伝送するようにした場合は、常時クロック信号が信号受信回路側に送られるので、リファレンス用のクロック信号は不要である。
【００２１】
以上に説明したように本発明によれば、１本の伝送路を用いて、より効率的に信号を伝送することができる。
【００２２】
【発明の実施の形態】
以下、図を用いて本発明の実施の形態を詳細に説明する。
【００２３】
図１は、本発明が適用された第１実施形態の信号送信回路の回路図である。
【００２４】
本実施形態は、図中左方から、伝送しようとする論理状態の信号である、信号Ａ及び信号Ｂが入力される。又、これら入力のタイミング・リファレンス用の、そして該伝送のタイミング・リファレンス用のクロック信号ＣＬＫが入力される。
【００２５】
図示されるように、本実施形態の信号送信回路は、Ｄ型ラッチＤ１及びＤ２と、出力回路１０と、電圧傾斜可変回路１１及び１２と、を備えている。
【００２６】
まずは、クロック信号ＣＬＫの立ち上がりにおいて、Ｄ型ラッチＤ１は信号Ａを取り込み出力する。あるいは、クロック信号ＣＬＫの立ち下がりにおいて、Ｄ型ラッチＤ２は信号Ｂを取り込み、信号Ｂを反転した信号を出力する。出力回路１０は、クロック信号ＣＬＫを伝送信号ＴＳとして伝送路に送り出すための回路であって、トランジスタＴ１１及びＴ１２によってインバータとして構成されている。
【００２７】
電圧傾斜可変回路１１は、トランジスタＴ１３及びＴ１４によって構成される。該電圧傾斜可変回路１１は、Ｄ型ラッチＤ１の出力ＱがＨ状態であると、トランジスタＴ１４がオフ状態になってトランジスタＴ１１のソースと電源ＶＤＤとの間の抵抗を増加し、これによって伝送信号ＴＳの立ち上がりのスルーレートを抑制する。
【００２８】
又、電圧傾斜可変回路１２は、トランジスタＴ１５及びＴ１６によって構成される。該電圧傾斜可変回路１２は、Ｄ型ラッチＤ２の出力ＱバーがＬ状態であると、トランジスタＴ１６がオフ状態になってトランジスタＴ１２のソースとグランドＧＮＤとの間の抵抗を増加し、これによって伝送信号ＴＳの立ち下がりのスルーレートを抑制する。
【００２９】
従って、本実施形態においては、まずは端子ＣＬＫから入力されたクロック信号ＣＬＫは、出力回路１０によって反転され、伝送信号ＴＳとして駆動されて、図中右側から伝送路に出力され、後述する第２実施形態の信号受信回路へと伝送される。又、該伝送信号ＴＳのクロック信号において、立ち上がり時のスルーレートの相違によって信号Ａの論理状態が、又、立ち下がり時のスルーレートの相違によって信号Ｂの論理状態が、信号受信回路へと伝送される。
【００３０】
つまり、該伝送信号ＴＳの立ち上がり時に、信号ＡがＨ状態であってＤ型ラッチＤ１の出力ＱがＨ状態であると、伝送信号ＴＳの立ち上がり時のスルーレートが緩慢になる。該伝送信号ＴＳの立ち上がり時に、信号ＡがＬ状態であってＤ型ラッチＤ１の出力ＱがＬ状態であると、伝送信号ＴＳの立ち上がり時のスルーレートが急峻になる。
【００３１】
該伝送信号ＴＳの立ち下がり時に、信号ＢがＨ状態であってＤ型ラッチＤ２の出力ＱバーがＬ状態であると、伝送信号ＴＳの立ち下がり時のスルーレートが緩慢になる。該伝送信号ＴＳの立ち下がり時に、信号ＢがＬ状態であってＤ型ラッチＤ２の出力ＱバーがＨ状態であると、伝送信号ＴＳの立ち下がり時のスルーレートが急峻になる。
【００３２】
図２は、本発明が適用された第２実施形態の信号受信回路の回路図である。
【００３３】
本実施形態は、図中左方から伝送路を経由して、前述の第１実施形態の信号送信回路から、前述の伝送信号ＴＳが入力される。
【００３４】
図示されるように、本実施形態の信号受信回路は、コンデンサＣ及び抵抗Ｒと、電圧傾斜検出回路２１及び２２と、バッファ回路ＢＣ及びＢＸ及びＢＹと、パルス波形整形回路２３及び２４と、タイミング調整回路２５及び２６と、によって構成されている。
【００３５】
まず、コンデンサＣ及び抵抗Ｒは、伝送信号ＴＳを遅延させて信号ＴＳｄｌｙを生成するための時定数回路を形成している。電圧傾斜検出回路２１は、トランジスタＴ２１、Ｔ２２と抵抗Ｒ１によって構成され、これ自体はある種の増幅器を構成し、又、上述の時定数回路と共になって伝送信号ＴＳの立ち上がりの電圧傾斜を検出する。同様に、電圧傾斜検出回路２２は、トランジスタＴ２３、Ｔ２４と抵抗Ｒ２によって構成され、これ自体はある種の増幅器を構成し、又、上述の時定数回路と共になって伝送信号ＴＳの立ち下がりの電圧傾斜を検出する。
【００３６】
なお、ＮチャネルＭＯＳトランジスタであるトランジスタＴ２２やＴ２４は、いずれもノイズ防止のために接続されている。又、抵抗Ｒ１やＲ２は、パルス発生時以外は、それぞれ電圧傾斜検出回路２１、２２の出力がＬ状態となるように設けられた、プルダウン抵抗である。
【００３７】
又、パルス波形整形回路２３は、ＯＲゲートＧ１及びＧ２によってＳＲ型ラッチを構成している。なお、ＯＲゲートＧ２の一方の入力は、反転入力である。パルス波形整形回路２４は、ＯＲゲートＧ３及びＧ４によってＳＲ型ラッチを構成している。これらパルス波形整形回路２３及び２４は、そのＳ入力にＨ状態のパルス信号が入力されると、パルス波形整形回路２３ではそのＲ入力にＬ状態が入力されるまでパルス幅が延長された、パルス波形整形回路２４ではそのＲ入力にＨ状態が入力されるまでパルス幅が延長された、Ｈ状態のパルス信号を出力する。
【００３８】
タイミング調整回路２５は３つのＤ型ラッチＤ２１〜Ｄ２３によって、タイミング調整回路２６は２つのＤ型ラッチＤ２４及びＤ２５によって、それぞれシフトレジスタを構成している。これらは入力されるクロック信号ＣＬＫ１に従ってＨ状態のパルス信号をシフトさせ、パルス波形整形回路２３やパルス波形整形回路２４が出力するパルス信号のタイミングを調整している。
【００３９】
以下、本実施形態の作用について説明する。
【００４０】
まず、前述の信号Ａが信号受信回路で復元される、信号Ｘに係る、電圧傾斜検出回路２１に関する作用について説明する。
【００４１】
例えば、伝送信号ＴＳの立ち上がりの特定時間においては、電圧波形Ｖｓ（ｔ）が次式で表わされるとする。Ａは定数である。
【００４２】
Ｖｓ（ｔ）＝Ａ×ｔ
【００４３】
すると、信号ＴＳｄｌｙの電圧波形Ｖｄｌｙは次式のようになる。
【００４４】
Ｖｄｌｙ（ｔ）＝Ａ×ｔ−Ａ×Ｒ×Ｃ（１−ｅｘｐ（−ｔ／（Ｒ×Ｃ）））
【００４５】
従って、信号ＴＳｄｌｙは、立ち上がり開始からある程度の時間が経過すると、伝送信号ＴＳに対して、エッジの傾きＡに比例した、（Ａ×Ｒ×Ｃ）の電位差を生じる。単純計算では、Ｒ＝１００Ω、Ｃ＝１０ｐＦとすると、伝送信号ＴＳの立ち上がりのスルーレートが３．３Ｖ／１ｎＳの場合、該電位差（Ａ×Ｒ×Ｃ）は３．３Ｖになり、該スルーレートが３．３Ｖ／１０ｎＳの場合、該電位差（Ａ×Ｒ×Ｃ）は０．３３Ｖになる。
【００４６】
つまり、伝送信号ＴＳの立ち上がりのスルーレートの相違を、このような電位差（Ａ×Ｒ×Ｃ）の相違として検出することができる。そして電圧傾斜検出回路２１は、該電位差（Ａ×Ｒ×Ｃ）が所定以上になると、バッファ回路ＢＸに対してＨ状態のパルス信号を出力する。該パルス信号は、パルス波形整形回路２３によってパルス幅が延長される。
【００４７】
従って、まず、伝送信号ＴＳがＬ状態であると、バッファ回路ＢＣが出力するＬ状態のクロック信号ＣＬＫ１が、その入力Ｒに入力され、パルス波形整形回路２３の出力はＬ状態にリセットされる。
【００４８】
そして、伝送信号ＴＳの立ち上がりにおいて、該立ち上がりのスルーレートが急峻であると、電圧傾斜検出回路２１からパルス波形整形回路２３にＨ状態のパルス信号が入力される。すると、パルス波形整形回路２３の出力は、次に入力ＲがＬ状態になるまで、Ｈ状態を保持しこれを出力する。
【００４９】
一方、伝送信号ＴＳの立ち上がりにおいて、該立ち上がりのスルーレートが緩慢であると、電圧傾斜検出回路２１からパルス波形整形回路２３に入力される信号はＬ状態のままであり、パルス波形整形回路２３の出力もＬ状態のままになる。
【００５０】
続いて、信号Ｂが信号受信回路で復元される、信号Ｙに係る、電圧傾斜検出回路２２に関する作用について説明する。
【００５１】
例えば、伝送信号ＴＳの立ち下がりの特定時間においては、電圧波形Ｖｓ（ｔ）が次式で表わされるとする。Ａは定数である。
【００５２】
Ｖｓ（ｔ）＝−Ａ×ｔ
【００５３】
すると、信号ＴＳｄｌｙの電圧波形Ｖｄｌｙは次式のようになる。
【００５４】
Ｖｄｌｙ（ｔ）＝−Ａ×ｔ＋Ａ×Ｒ×Ｃ（１−ｅｘｐ（−ｔ／（Ｒ×Ｃ）））
【００５５】
従って、信号ＴＳｄｌｙは、立ち下がり開始からある程度の時間が経過すると、前述した立ち上がりの場合と同様に、伝送信号ＴＳに対して、エッジの傾き−Ａに比例した、（Ａ×Ｒ×Ｃ）の電位差を生じる。そして、この立ち下がりの場合も、前述の立ち上がりの場合と同様に、伝送信号ＴＳの立ち下がりのスルーレートの相違を、このような電位差（Ａ×Ｒ×Ｃ）の相違として検出することができる。そして電圧傾斜検出回路２２は、該電位差（Ａ×Ｒ×Ｃ）が所定以上になると、バッファ回路ＢＹに対してＨ状態のパルス信号を出力する。該パルス信号は、パルス波形整形回路２４によってパルス幅が延長される。
【００５６】
従って、まず、伝送信号ＴＳがＨ状態であると、バッファ回路ＢＣが出力するＨ状態のクロック信号ＣＬＫ１が、その入力Ｒに入力され、パルス波形整形回路２４の出力はＬ状態にリセットされる。
【００５７】
そして、伝送信号ＴＳの立ち下がりにおいて、該立ち下がりのスルーレートが急峻であると、電圧傾斜検出回路２２からパルス波形整形回路２４にＨ状態のパルス信号が入力される。すると、パルス波形整形回路２４の出力は、次に入力ＲがＨ状態になるまで、Ｈ状態を保持しこれを出力する。
【００５８】
一方、伝送信号ＴＳの立ち下がりにおいて、該立ち下がりのスルーレートが緩慢であると、電圧傾斜検出回路２２からパルス波形整形回路２４に入力される信号はＬ状態のままであり、パルス波形整形回路２４の出力もＬ状態のままになる。
【００５９】
続いて、タイミング調整回路２５及び２６の作用について説明する。
【００６０】
信号受信回路側における、パルス波形整形回路２３、２４の出力信号と、クロック信号ＣＬＫ１の間のタイミング関係は、信号送信回路側における、信号Ａ、Ｂとクロック信号ＣＬＫの間のタイミング関係とは微妙に異なる。タイミング調整回路２５、２６は、パルス波形整形回路２３、２４の出力信号と、クロック信号ＣＬＫ１の間のタイミング関係が、信号Ａ、Ｂとクロック信号ＣＬＫの間のタイミング関係と一致するように調整する。
【００６１】
まず、タイミング調整回路２５について説明する。
【００６２】
伝送信号ＴＳが立ち上がると、そのスルーレートが緩慢であるか急峻であるかによって、パルス波形整形回路２３の出力がＨ状態になったり、Ｌ状態のままになったりする。該パルス波形整形回路２３の出力は、伝送信号ＴＳの該立ち上がりで、バッファ回路ＢＣが出力するクロック信号ＣＬＫ１が立ち上がったタイミングにおいて、Ｄ型ラッチＤ２１に取り込まれる。そして、伝送信号ＴＳの次の立ち下がり、又クロック信号ＣＬＫ１の次の立ち下がりのタイミングにおいて、該Ｄ型ラッチＤ２１の出力は、Ｄ型ラッチＤ２２に取り込まれ、シフトする。更に、伝送信号ＴＳの次の立ち上がり、又クロック信号ＣＬＫ１の次の立ち上がりのタイミングにおいて、該Ｄ型ラッチＤ２２の出力は、Ｄ型ラッチＤ２３に取り込まれ、シフトする。
【００６３】
従って、該Ｄ型ラッチＤ２３が出力する信号Ｘのタイミングは、パルス波形整形回路２３が出力する信号より、伝送信号ＴＳ即ちクロック信号ＣＬＫ１の１周期分だけ遅延される。
【００６４】
次に、タイミング調整回路２６について説明する。
【００６５】
伝送信号ＴＳが立ち下がると、そのスルーレートが緩慢であるか急峻であるかによって、パルス波形整形回路２４の出力がＨ状態になったり、Ｌ状態のままであったりする。該パルス波形整形回路２４の出力は、伝送信号ＴＳの該立ち下がりで、バッファ回路ＢＣが出力するクロック信号ＣＬＫ１が立ち下がったタイミングにおいて、Ｄ型ラッチＤ２４に取り込まれる。そして、伝送信号ＴＳの次の立ち上がり、又クロック信号ＣＬＫ１の次の立ち上がりのタイミングにおいて、該Ｄ型ラッチＤ２４の出力は、Ｄ型ラッチＤ２５に取り込まれ、シフトする。
【００６６】
従って、該Ｄ型ラッチＤ２５が出力する信号Ｙのタイミングは、パルス波形整形回路２４が出力する信号より、伝送信号ＴＳやクロック信号ＣＬＫ１の（１／２）周期分だけ遅延される。
【００６７】
以上のように、パルス波形整形回路２３の出力はクロック信号ＣＬＫ１の１周期分だけ遅延されて信号Ｘとなり、パルス波形整形回路２４の出力はクロック信号ＣＬＫ１の（１／２）周期分だけ遅延されて信号Ｙとなる。これにより、これら信号Ｘ、Ｙとクロック信号ＣＬＫ１の間のタイミング関係が、信号Ａ、Ｂとクロック信号ＣＬＫの間のタイミング関係と一致するように調整される。
【００６８】
図３は、前述の第１実施形態及び第２実施形態の動作波形を示すタイムチャートである。
【００６９】
このタイムチャートにおいて、第１実施形態の信号送信回路における信号Ａが、第２実施形態の信号受信回路において、信号Ｘとして認識されるまでについて説明する。
【００７０】
まず、時刻５０ｎＳから３５０ｎＳまでの、クロック信号ＣＬＫの３周期分の期間において、信号Ａは、パルスＡ１としてＨ状態にある。このようなＨ状態は、信号送信回路及び信号受信回路の間の伝送路を伝達する伝送信号ＴＳの、パルスＴＳ１〜ＴＳ３のそれぞれで、時刻１００ｎＳ、２００ｎＳ、３００ｎＳそれぞれから状態遷移開始する緩慢な立ち上がりによって伝送される。又、このように立ち上がりが緩慢であることが信号受信回路において検出されて、時刻２００ｎＳから５００ｎＳまでの、クロック信号ＣＬＫの３周期分の期間において、信号Ｘは、パルスＸ１としてＨ状態になっている。
【００７１】
次に、時刻３５０ｎＳ以降の期間、信号Ａは、Ｌ状態にある。このようなＬ状態は、信号送信回路及び信号受信回路の間の伝送路を伝達する伝送信号ＴＳの、パルスＴＳ４〜ＴＳ７のそれぞれで、時刻４００ｎＳ、５００ｎＳ、６００ｎＳ、７００ｎＳそれぞれから状態遷移開始する急峻な立ち上がりによって伝送される。又、このように立ち上がりが急峻であることが信号受信回路において検出されて、時刻５００ｎＳ以降の期間、信号Ｘは、Ｌ状態になっている。
【００７２】
続いて、このタイムチャートにおいて、第１実施形態の信号送信回路における信号Ｂが、第２実施形態の信号受信回路において、信号Ｙとして認識されるまでについて説明する。
【００７３】
まずは、時刻５０ｎ及び時刻２５０ｎＳのそれぞれに始まる、クロック信号ＣＬＫの１周期分の期間において、そして、時刻４５０ｎＳ以降におけるクロック信号ＣＬＫの３周期分以上の期間、信号Ｂは、パルスＢ１、Ｂ２、Ｂ３としてＨ状態にある。このようなＨ状態は、信号送信回路及び信号受信回路の間の伝送路を伝達する伝送信号ＴＳの、パルスＴＳ１、ＴＳ３、ＴＳ５〜ＴＳ７のそれぞれで、時刻１５０ｎＳ、３５０ｎＳ、５５０ｎＳ、６５０ｎＳ、７５０ｎＳそれぞれから状態遷移開始する、緩慢な立ち下がりによって伝送される。又、このように立ち下がりが緩慢であることが信号受信回路において検出されて、時刻２００ｎＳ及び時刻４００ｎＳのそれぞれに始まる、クロック信号ＣＬＫの１周期分の期間において、そして、時刻６００ｎＳ以降の期間において、信号Ｙは、パルスＹ１、Ｙ２、Ｙ３としてＨ状態になっている。
【００７４】
次に、時刻１５０ｎＳ及び時刻３５０ｎＳのそれぞれに始まる、クロック信号ＣＬＫの１周期分の期間において、信号ＢはＬ状態にある。このようなＬ状態は、信号送信回路及び信号受信回路の間の伝送路を伝達する伝送信号ＴＳの、パルスＴＳ２、ＴＳ４のそれぞれで、時刻２５０ｎＳ、４５０ｎＳそれぞれから状態遷移開始する、急峻な立ち下がりによって伝送される。又、このように立ち下がりが急峻であることが信号受信回路において検出されて、時刻３００ｎＳ及び時刻５００ｎＳのそれぞれに始まる、クロック信号ＣＬＫの１周期分の期間において、信号Ｙは、Ｌ状態になっている。
【００７５】
以上のとおり、本実施形態においては、信号送信回路側の信号Ａ及び信号Ｂのそれぞれの論理状態、そしてクロック信号ＣＬＫが、信号Ｘや信号Ｙの論理状態として、あるいはクロック信号ＣＬＫ１として、正しく信号受信回路側に伝送される。又、該伝送は、これら複数の信号Ａ、Ｂ及びクロック信号が、伝送路においては単一の伝送信号ＴＳとして伝送することができている。従って、１本の伝送路を用いて、より効率的に信号を伝送することができる。
【００７６】
なお、本実施形態において、伝送信号ＴＳとは別に、伝送路において、別途クロック信号を伝送するようにして、該クロック信号を、前述したバッファ回路ＢＣが出力するクロック信号ＣＬＫ１として用いることも可能である。
【００７７】
又、本実施形態においては、伝送信号ＴＳの立ち上がりの電圧傾斜の相違によって論理状態を伝送すると共に、該伝送信号ＴＳの立ち下がりの電圧傾斜の相違によっても、論理状態を伝送するようにしている。これに対して、例えばジッターが問題になる場合などは、電圧傾斜の相違で論理状態を伝送するのは、該伝送信号ＴＳの立ち上がり又は立ち下がりのいずれか一方のみとし、他方の立ち下がり又は立ち上がりのエッジでタイミングを合わせるようにしてもよい。
【００７８】
あるいは、本実施形態においては、伝送信号ＴＳの立ち上がりや立ち下がりの電圧傾斜は、「急峻」及び「緩慢」の２種類で、伝送すべき２つの論理状態に割り当てている。しかしながら、本発明はこれに限定されるものではなく、「急峻」あるいは「緩慢」以上に細分化して、このような電圧傾斜を区別するようにし、これら傾斜に個別に、複数ビットのＨ状態やＬ状態の組み合わせを割り当てるようにしてもよい。
【００７９】
【発明の効果】
本発明によれば、１本の伝送路を用いて、より効率的に信号を伝送することができる。
【図面の簡単な説明】
【図１】本発明が適用された第１実施形態の信号送信回路の回路図
【図２】本発明が適用された第２実施形態の信号受信回路の回路図
【図３】上記第１実施形態及び上記第２実施形態の動作波形を示すタイムチャート
【符号の説明】
１０…出力回路
１１、１２…電圧傾斜可変回路
２１、２２…電圧傾斜検出回路
２３、２４…パルス波形整形回路
２５、２６…タイミング調整回路
Ａ、Ｂ…伝送しようとする信号
ＣＬＫ、ＣＬＫ１…クロック信号
ＴＳ…伝送信号
Ｘ、Ｙ…伝送された信号
【図１】
2005012669.tif 000003
【図２】
2005012669.tif 000004
【図３】
2005012669.tif 000005